(57)【要約】【課題】ネットワークに接続する必要がなく、無線タグリーダのデータを更新する手間を省くことができ、無線タグリーダに記憶される照合に必要なデータの偽造が困難な入室セキュリティシステムを提供する。【解決手段】ＲＦＩＤデータ、ユーザデータ、これらのデータと入室を許可された開発室に対応する一定値から関数Ｇにより算出された付加データを記憶した無線タグ５が、ビル内の所定の入口に設置された無線タグリーダにかざされると、その無線タグリーダは、無線タグ５から読取ったＲＦＩＤデータ、ユーザデータ、付加データに基づいて関数Ｆにより一定値を算出し（ＳＴ４）、ＲＡＭに記憶された一定値の中に同じ一定値があるか否かを判断し（ＳＴ５）、同じ一定値があると、ゲートロックを解除する（ＳＴ１０）。【選択図】      図１０
2005076359.tif 000002
【特許請求の範囲】
【請求項１】
建造物の入口及びその建造物内の各フロアの入口及び各部屋の入口等の所定の場所にそれぞれ設置された入室制限を行う入室制限手段を有し、無線による問合せコマンドに応答してメモリに記憶した情報を無線通信可能な無線タグから読取った情報に基づいて入室制限を解除する入室セキュリティシステムにおいて、
前記無線タグは、無線通信を行うための固有の識別情報と、ユーザに関するユーザ情報と、前記識別情報、前記ユーザ情報及び所定の一定値に関する一定値情報に基づいて算出された付加情報とを前記メモリに記憶し、
前記無線タグリーダは、所定個数の一定値を記憶する記憶手段と、前記無線タグから問合せコマンドに対応して応答された前記識別情報、前記ユーザ情報及び前記付加情報を取得する取得手段と、前記取得手段で所得した前記識別情報、前記ユーザ情報及び前記付加情報に基づいて一定値を算出する一定値情報算出手段と、この一定値情報算出手段で算出された一定値が、前記記憶手段に記憶された一定値の中にあるか否かを判断する判断手段と、この判断手段で同じ一定値があると判断すると、前記入室制限手段の入室制限を解除する入室制限解除手段とを具備したことを特徴とする入室セキュリティシステム。
【請求項２】
建造物の入口に設置された無線タグリーダの記憶手段に記憶される所定個数の一定値は、前記建造物内の入室制限を行う全ての部屋に割当てられたそれぞれ異なる一定値であり、前記建造物内の各フロアの入口に設置された無線タグリーダの記憶手段に記憶される所定個数の一定値は前記フロアの部屋に設置される入室制限を行う全ての部屋に割当てられた一定値であり、各部屋の入口に設置された無線タグリーダの記憶手段に記憶される所定個数の一定値は、その設置された部屋に割当てられた一定値であることを特徴とする請求項１に記載の入室セキュリティシステム。
【発明の詳細な説明】
【技術分野】
【０００１】
本発明は、企業の研究所、マンションやホテルなどの建造物における建造物、各フロアや各部屋や各施設などへの入場又は入室を制限する入室セキュリティシステムに関する。
【背景技術】
【０００２】
従来、企業の研究所やその研究所内の開発室及びホテルなどの各部屋や各施設などにおいては、特定の者しか入室できないように入室制限を行うことによりセキュリティを担保している。例えば、ホテルの各部屋の入室を管理するセキュリティシステムとして次のようなものが知られている。ルームナンバー等の情報を記憶し、読み書き可能なＲＦＩＤタグが添付されているルームキーと、ＲＦＩＤタグに情報を入出力するためにホテル内の各部屋又は／及び部屋のドアに設置されたＲＦＩＤリーダと、ホテル内の各部屋に関する情報を記憶したデータベースと、各ＲＦＩＤリーダ及びデータベースとネットワーク接続され、ホテル内の各部屋を管理するサーバを備え、ＲＦＩＤリーダがＲＦＩＤタグよりルームナンバーを読取り、データベースに登録されたルームナンバーと照合し、部屋の鍵を開錠又は施錠するものが知られている（例えば、特許文献１参照）。
【特許文献１】特開２００３−１３２４３５公報
【発明の開示】
【発明が解決しようとする課題】
【０００３】
しかしながら、上述のように管理サーバでデータベースを用いてルームナンバーなどの情報を照合するシステムだと、全てのＲＦＩＤリーダがネットワークに接続されていることが必要となる。このネットワークは、情報の漏洩を防止する観点から考えると、外部との接続に通常使用されているネットワークとは別系統のネットワークを構築することが好ましい。やむを得ず、通常使用されているネットワーク上でデータ通信を行う場合は、管理サーバに厳重なセキュリティをかける必要がある。
【０００４】
また、ＲＦＩＤリーダとデータベースがネットワーク接続されている構成では、照合を行うためのデータベース内のデータを更新する場合に、データベースのデータを更新するだけで良いが、ＲＦＩＤリーダがそれぞれ独立しており、ネットワークに接続されていない場合は、各ＲＦＩＤリーダ内に照合を行うためのデータを記憶しているため、各ＲＦＩＤリーダに記憶されたデータを何らかの方法で更新する必要がある。
【０００５】
すなわち、セキュリティシステムを新たに導入する場合に、入室を制限するためのゲートを制御するＲＦＩＤリーダを各部屋に設置する費用の他にネットワークを構築する場合はその費用が必要となり、又、ネットワークを構築しない場合はＲＦＩＤリーダのデータを更新するという手間が生じてしまう。
【０００６】
本発明は上記事情に鑑みてなされたものであって、その目的は、ネットワークに接続する必要がなく、無線タグリーダのデータを更新する手間を省くことができ、無線タグリーダに記憶される照合に必要なデータの偽造が困難な入室セキュリティシステムを提供することにある。
【課題を解決するための手段】
【０００７】
本発明は、建造物の入口、その建造物内の各フロアの入口及び各部屋の入口等の所定の場所にそれぞれ設置される無線タグリーダにおいて、無線による問合せコマンドに応答してメモリに記憶した情報を無線送信可能な無線タグから問合せコマンドに対応して応答された無線通信を行うための例えばＲＦＩＤである固有の識別情報と、氏名、社員番号、所属、生年月日、有効期限、開発室番号などのユーザに関するユーザ情報、これらの各情報及び例えば開発室に対応して割当てられた一定値である一定値情報に基づいて算出された付加情報を取得し、その所得した識別情報、ユーザ情報及び付加情報に基づいて一定値を算出し、その算出された一定値が、記憶された一定値の中にあるか否かを判断し、同じ一定値があると判断すると、その設置された部屋の入室制限を解除するものである。
【発明の効果】
【０００８】
本発明によると、ネットワークに接続する必要がなく、無線タグリーダのデータを更新する手間を省くことができ、無線タグリーダに記憶される照合に必要なデータの偽造が困難な入室セキュリティシステムを提供できる。
【発明を実施するための最良の形態】
【０００９】
以下、本発明を実施の形態について図面を参照して説明する。  
図１は本発明を適用したビル１００の断面を概略的に示す図である。図１に示すように、ビル１００には、入館するための最初のゲートが１箇所設けられている。このゲートを通過するとエレベータルームとなり、このエレベータルームのエレベータＥＶにより１階から４階まで移動できるようになっている。また、各フロアのエレベータルームには、各フロアの開発室１Ａ〜１Ｃ，２Ａ〜２Ｃ，３Ａ〜３Ｃ，４Ａ〜４Ｃへ入室するためのゲートを有した通路へ入室するためのゲートが設けられている。これらのゲートにはそれぞれ無線タグリーダが配置されている。最初の入口のゲートには無線タグリーダＥＮＴ、通路へ入室するための各フロアのゲートには無線タグリーダ１ｆ〜４ｆ、そして、各開発室へ入室するためのゲートには無線タグリーダ１ａ〜１ｃ，２ａ〜２ｃ，３ａ〜３ｃ，４ａ〜４ｃが設けられている。各無線タグリーダＥＮＴ，１ｆ〜４ｆ，１ａ〜４ｃは、電子ロックによりゲートにロックをかけることができるようになっており、通常は、ロックされてゲートを開けることができないようになっている。また、最初の入口のドアのビル１００内には、人がゲートを通過したことを検出するためのセンサ１が配置されている。なお、図１において図示しないが、上述した他のゲートにも、人がゲートを通過したことを検出するためのセンサがそれぞれ所定位置に配置されている。
【００１０】
続いてビル１００に配置された無線タグリーダＥＮＴ，１ｆ〜４ｆ，１ａ〜４ｃについて説明する。なお、これらの無線タグリーダＥＮＴ，１ｆ〜４ｆ，１ａ〜４ｃは、外観は共通なものであり、構成も記憶手段に記憶される一部のデータを除いて共通なものであるため、以下では無線タグリーダＥＮＴを例に挙げて説明する。
【００１１】
図２は無線タグリーダＥＮＴの外観を示す図であり、図３は無線タグリーダＥＮＴの要部構成を示すブロック図である。図２に示すように、無線タグリーダＥＮＴには、表示部２、スキャナ部３、音声出力口４が設けられている。表示部２はユーザに対して必要な情報を表示する。スキャナ部３は、後述する無線タグ５と無線通信を行うために無線タグ５をかざす位置を示している。音声出力口４は、無線タグリーダＥＮＴ内で生成した音声を外部に出力するために設けられている。
【００１２】
無線タグリーダＥＮＴは、ＣＰＵ１１，ＲＯＭ１２，記憶手段であるＲＡＭ１３，表示制御部１４，表示部２，音声制御部１５，音声出力部１６，変調部１７，送信アンプ１８，アンテナ１９，復調部２０，受信アンプ２１，時計部２２，インタフェース２３，電子ロック部２４，Ｉ／Ｏポート２５、センサ１などで構成されている。ＣＰＵ１１とＲＯＭ１２，ＲＡＭ１３，表示制御部１４，音声制御部１５，変調部１７，復調部２０，時計部２２，インタフェース２３，Ｉ／Ｏポート２５とはバスライン２６を介して接続されている。
【００１３】
ＣＰＵ１１はＲＯＭ１２に記憶されたプログラムを実行することにより総括的に無線タグリーダＥＮＴを制御する。ＲＯＭ１２にはＣＰＵ１１が実行する無線タグリーダＥＮＴの各種機能を実現するための制御プログラム等が記憶される。また、ＲＯＭ１２には、関数Ｆが記憶されている。関数Ｆは、例えばハッシュ関数であり、後述するＲＦＩＤデータ、ユーザデータ、付加データに基づいて一定値を生成する関数である。この関数Ｆは、Ｆ（ＲＦＩＤデータ、ユーザデータ、付加データ）＝一定値と定義される。
【００１４】
また、ＲＡＭ１３には、所定個数の一定値が記憶される。このＲＡＭ１３に記憶される一定値については各無線タグリーダＥＮＴ，１ｆ〜４ｆ，１ａ〜４ｃにより異なるため、図４から図７を参照して説明する。図４は、ビル１００内の全ての開発室１Ａから４Ｃに割当てられたそれぞれ異なる値の一定値を示す図である。図５は無線タグリーダＥＮＴのＲＡＭ１３に記憶される一定値を示す図である。このＲＡＭ１３に記憶される一定値は、ビル１００内の全ての開発室に割当てられた一定値が記憶される。図６は無線タグリーダ１ｆ〜４ｆの各ＲＡＭ１３に記憶される一定値を示す図である。この各ＲＡＭ１３に記憶される一定値は、無線タグリーダ１ｆ〜４ｆが設置されたフロアにある各開発室に割当てられた一定値が記憶される。図７は無線タグリーダ１ａ〜４ｃの各ＲＡＭ１３に記憶される一定値の対応を示す図である。この各ＲＡＭ１３に記憶される一定値は、各開発室に割当てられた一定値が記憶される。
【００１５】
表示制御部１４はＣＰＵ１１の制御の下、表示部２の表示を制御する。表示制御部１４は、例えば待機状態では、図２で示すように、表示部２に“下の枠内にカードをかざしてください。”というメッセージを表示する制御を行う。
【００１６】
音声制御部１５はＣＰＵ１１の制御の下、音声出力部１６の音声出力を制御する。例えば音声制御部１５は、データの読取りが行われたときにはＯＫ音として小さい音でブザー音を１回出力させ、データの読取りが行われなかったときにはエラー音として大きい音で連続的にブザー音を出力させるように音声出力部１６を制御する。
【００１７】
変調部１７は、送信する送信データを変調し、送信アンプ１８はその変調電波を増幅してアンテナ１９から放射させる。送信データは例えば、後述する無線タグに問合せを行う問合せコマンドや無線タグを無応答に設定するためのコマンドである無応答コマンドである。また、受信アンプ２１は、アンテナで１９受信した電波を増幅し、復調部２０は、その増幅された受信電波を復調する。  
時計部２２は、計時動作を常時行い、日付情報である日付を含む現在時刻を示す時刻データを生成する。
【００１８】
インタフェース２３は電子ロック部２４との接続に使用される。電子ロック部２４は、ビル１００への最初の入口のゲート、各フロアの通路への入口のゲート、各開発室への入口のゲートをロックする。上述したがこれらの各ゲートは、通常、ロックされて各ゲートでの入室を制限するようになっている（入室制限手段）。また、各ゲートはＣＰＵ１１の制御に基づいて、ゲートのロックを解除するようになっている。
【００１９】
Ｉ／Ｏポート２５はセンサ１との接続に使用される。センサ１は、人がゲート通過したか否かを検出するために使用される。したがって、センサの配置される位置は、各入口のゲートの入室側と反対側に人の通過を検出できるように所定位置に配置される。なお、このように配置されるセンサに換えて、ゲートが閉じたことを検出するセンサを用いる構成でも良い。
【００２０】
次に、このように構成された無線タグリーダＥＮＴ，１ｆ〜４ｆ，１ａ〜４ｃのゲートロックを解除するために用いられる無線タグ５について説明する。  
図５は、無線タグ５が埋設されたカード５ａの外観を示す図である。このカード５ａの表面には、図示のように、会社名，氏名，所属，開発室名，有効期限などが印刷される。
【００２１】
図６は、カード５ａに埋設された無線タグ５の要部構成を示すブロック図である。図で示すように、無線タグ５は、送受信可能なタグアンテナ５１とＬＳＩチップ５２とを基板に一体成形した部品である。タグアンテナ５１は、矩形状に成形されたループコイル等からなる。ＬＳＩチップ５２は、電源生成部５３、変調部５４、復調部５５、制御部５６、メモリ５７などで構成される。電源生成部５３はタグアンテナ５１で受信した変調電波の整流と安定化を行うことによりＬＳＩチップ５２の各部に電源を供給する。復調部５５は、上記変調電波を復調して制御部５６へ送出する。変調部５４は、制御部５６から送出されたデータを変調してタグアンテナ５１に送出する。制御部５６は復調部５５で復調されたデータが問合せコマンドであるとき、メモリ５７に記憶したデータを読み出し応答データとして変調部５４へ送出する。メモリ５７は、無線タグ５の製造段階で製造業者により設定された固有のＲＦＩＤ（ラジオ・フリークエンシー・アイデンティフィケーション）を記憶するＲＦＩＤエリア５７ａと、ユーザが任意のデータを書込むことができるユーザエリア５７ｂ、付加データを書込むエリアである付加エリア５７ｃとからなる。
【００２２】
ユーザエリア５７ｂには、カード５ａを所持する者の氏名、社員番号、所属、生年月日の個人情報を記憶する各エリアの他に、入室が許可された期間である有効期限を記憶する有効期限エリア、入室が許可された開発室を示す開発室番号を記憶する開発室番号エリアが設けられている。また、付加エリア５７ｃには、関数Ｇにより算出された付加データが記憶される。関数Ｇは、ＲＦＩＤデータ、ユーザデータ、及び入室が許可された開発室と対応する一定値に基づいて付加データを生成する関数である。この関数Ｇは、Ｇ（ＦＲＩＤデータ、ユーザデータ、一定値）＝付加データと定義される。なお、この関数Ｇにおける計算に使用される一定値と、関数Ｇにより生成された付加データと、ＲＦＩＤデータ、ユーザデータを上述した関数Ｆに入力して生成された一定値とは、一致するようになっている。
【００２３】
かかる構成により、無線タグリーダＥＮＴ，１ｆ〜４ｆ，１ａ〜４ｃは、問合せコマンドを電波に変調してアンテナ１９から発信する。一方、無線タグ５は、ユーザにより無線タグリーダのスキャナ部３にかざされると、タグアンテナ５１で問合せコマンドの電波を受信することにより、電源生成部５３から各部に電源が供給されて制御部５６が作用し、メモリ５７の各データが読取られる。そして、ＲＦＩＤデータ、ユーザデータ及び付加データとからなる応答データが変調部５４で無線送信に適した形態に変調された後、タグアンテナ５１から電波として発信される。
【００２４】
次に、無線タグリーダＥＮＴのスキャナ部３に無線タグ５が埋設されたカード５ａがかざされたときに、無線タグリーダＥＮＴのＣＰＵ１１が実行する処理について図７を参照して説明する。
【００２５】
待機状態において、ＣＰＵ１１は表示制御部１４を制御し、表示部２に待受メッセージを表示させるとともに問合せコマンドを送信している（ＳＴ１）。この待機状態においてＣＰＵ１１は、問合せコマンドに対するＲＦＩＤデータ、ユーザデータ及び付加データとからなる応答データを受信したか否かを判断する（ＳＴ２）。
【００２６】
ＣＰＵ１１は応答データを受信したと判断しない場合は待機状態をそのまま継続し、応答データを受信したと判断した場合は、応答データをＲＡＭ１３の所定のエリアに記憶する（ＳＴ３、取得手段）。
【００２７】
続いてＣＰＵ１１は、ＲＡＭ１３に記憶した応答データを関数Ｆに入力して算出結果Ｙを得る（ＳＴ４、一定値情報算出手段）。すなわち、ＣＰＵ１１は関数ＦにＲＦＩＤデータ、ユーザデータ及び付加データを入力して得られた一定値である算出結果Ｙを得る。そして、ＣＰＵ１１は算出結果Ｙと同じ一定値がＲＡＭ１３に記憶された一定値の中にあるか否かを判断する（ＳＴ５、判断手段）。
【００２８】
ＣＰＵ１１は、ステップＳＴ５において、関数Ｆの算出結果ＹがＲＡＭ１３に記憶された一定値の中にないと判断した場合は、表示制御部１４を制御し、表示部２にエラーメッセージを表示する（ＳＴ６）。そして、ＣＰＵ１１は音声制御部１５を制御し、エラー音として音声出力部１６から大きい音で所定時間連続的にブザー音を出力する（ＳＴ７）。そして、処理は、ステップＳＴ１の待機状態へ戻る。
【００２９】
ＣＰＵ１１は、ステップＳＴ５において、関数Ｆの算出結果ＹがＲＡＭ１３に記憶された一定値の中にある判断した場合は、表示制御部１４を制御し、表示部２に入室許可メッセージを表示する（ＳＴ８）。これと略同時に、ＣＰＵ１１は音声制御部１５を制御し、ＯＫ音として音声出力部１６から小さい音でブザー音を１回出力する（ＳＴ９）。続いて、ＣＰＵ１１は電子ロック部２４を制御して、ゲートロックを解除する（ＳＴ１０、入室制限解除手段）。そして、ＣＰＵ１１は、センサ１からの出力を監視し、人が通過したか否かを判断する（ＳＴ１１）。ＣＰＵ１１は人の通過を検出するまでこの状態を続け、人の通過を検出すると電子ロック部２４を制御してゲートロックする（ＳＴ１２）。そして、処理はステップＳＴ１の待機状態に戻る。
【００３０】
以下、このように構成されたビル１００内の開発室４Ｃに入室することが許可されている無線タグ５が埋設されたカード５ａを所持したユーザがビル１００外から開発室４Ｃへ入室する場合について説明する。
【００３１】
ビル１００の入口のゲートは無線タグリーダＥＮＴによりロックされている。このときに、無線タグリーダＥＮＴの表示部２には、図２で示したように、“下の枠内にカードをかざして下さい。”と表示されている。
【００３２】
ユーザは、スキャナ部３にカード５ａをかざすと、無線タグリーダＥＮＴは、カード５ａに埋設された無線タグ５からＲＦＩＤデータ、ユーザデータ及び付加データからなる応答データを読取り、関数ＧにＲＦＩＤデータ、ユーザデータ及び付加データを入力して一定値を算出する。この一定値は開発室４Ｃに入室することが許可されているため、“ＧＨＩ−４Ｃ”という一定値が得られる。この一定値“ＧＨＩ−４Ｃ”は図５で示したように、無線タグリーダＥＮＴのＲＡＭ１３に記憶されている。したがって、無線タグリーダＥＮＴの表示部２に例えば“お通り下さい。”である入室許可メッセージが表示されるとともにＯＫ音が発生され、そして、ゲートのロックが解除される。そして、ユーザがゲートを通過すると、ゲートは再びロックされる。
【００３３】
そして、ユーザは、入口のゲートを通過してエレベータルームに到達し、エレベータＥＶを操作して４階まで上がる。続いて、ユーザは無線タグリーダ４ｆのスキャナ部３にカード５ａをかざす。すると、無線タグリーダ４ｆは、カード５ａに埋設された無線タグ５からＲＦＩＤデータ、ユーザデータ及び付加データからなる応答データを読取り、関数ＧにＲＦＩＤデータ、ユーザデータ及び付加データを入力して一定値“ＧＨＩ−４Ｃ”を算出する。この一定値“ＧＨＩ−４Ｃ”は図６で示したように、無線タグリーダ４ｆのＲＡＭ１３に記憶されている。したがって、無線タグリーダ４ｆの表示部２に入室許可メッセージが表示されるとともにＯＫ音が発生され、ゲートのロックが解除される。そして、ユーザがゲートを通過すると、ゲートは再びロックされる。なお、ユーザが他のフロアの無線タグリーダ１ｆ，２ｆ，３ｆにカード５ａをかざした場合は、関数Ｇにより算出される一定値“ＡＢＣ−４Ａ”が図６で示したように無線タグリーダ１ｆ，２ｆ，３ｆの各ＲＡＭ１３に記憶されていないため、例えば“通過できません。”などのエラーメッセージが表示部２に表示されるととともに、エラー音が発生される。
【００３４】
ユーザが無線タグリーダ４ｆが設けられたゲートを通過した後、開発室４Ｃの入口まで進み、無線タグリーダ４ｃのスキャナ部３にカード５ａをかざす。すると、無線タグリーダ４ｃは、カード５ａに埋設された無線タグ５からＲＦＩＤデータ、ユーザデータ及び付加データからなる応答データを読取り、関数ＧにＲＦＩＤデータ、ユーザデータ及び付加データを入力して一定値“ＧＨＩ−４Ｃ”を算出する。この一定値“ＧＨＩ−４Ｃ”は図７で示したように、無線タグリーダ４ｃのＲＡＭ１３に記憶されている。したがって、無線タグリーダ４ｃの表示部２に入室許可メッセージが表示されるとともにＯＫ音が発生され、ゲートのロックが解除される。そして、ユーザがゲートを通過すると、ゲートは再びロックされる。なお、ユーザが他の開発室４Ａ，４Ｂの無線タグリーダ４ａ，４ｃにカード５ａをかざした場合は、関数Ｇにより算出される一定値“ＧＨＩ−４Ｃ”が図７で示したように無線タグリーダ４ａ，４ｂの各ＲＡＭ１３に記憶されていないため、エラーメッセージが表示部２に表示されるととともに、エラー音が発生される。
【００３５】
この実施の形態のビル１００に適用された入室セキュリティシステムによると、ＲＦＩＤデータ、ユーザデータ、ＲＦＩＤデータとユーザデータと入室を許可された開発室に対応する一定値から関数Ｇにより算出された付加データを記憶した無線タグ５が、ビル１００内の入口、各フロアに入口、各開発室の入口に設置された無線タグリーダＥＮＴ，１ｆ〜４ｆ，１ａ〜４ｃのスキャナ部３にかざされると、その無線タグリーダは、無線タグ５から読取ったＲＦＩＤデータ、ユーザデータ、付加データに基づいて関数Ｆにより一定値を算出し、その一定値がＲＡＭ１３に記憶された一定値の中にあるか否かを判断し、同じ一定値がある場合に、ゲートロックを解除することができる。
【００３６】
したがって、各無線タグリーダＥＮＴ，１ｆ〜４ｆ，１ａ〜４ｃのＲＡＭ１３に記憶された一定値に基づいてゲートロック解除の判断を行うので、新たに入室セキュリティシステムを導入する場合にも、各無線タグリーダＥＮＴ，１ｆ〜４ｆ，１ａ〜４ｃをネットワークに接続し、管理サーバで管理する必要がないのネットワークを構築する費用がかからない。
【００３７】
また、入室を許可されたユーザが増え、新たに無線タグ５が埋設されたカード５ａを発行する場合でも、ゲートロックの解除の判断を、無線タグ５から読取ったＲＦＩＤデータ、ユーザデータ、付加データに基づいて関数Ｆにより算出した一定値と、ＲＡＭ１３に記憶された一定値とから行うため、各無線タグリーダＥＮＴ，１ｆ〜４ｆ，１ａ〜４ｃのＲＡＭ１３のデータを更新する必要はないので、データを更新する手間を省くことができる。
【００３８】
さらに、関数Ｇにより生成される付加データの計算対象として無線タグ５の固有のＩＤであるＲＦＩＤデータを用いている。例えば、他の無線タグにユーザデータや付加データをコピーすることができたとしても、ＲＦＩＤデータは異なるものであるため、無線タグリーダが関数Ｆにより一定値を算出しても、正しい一定値とはならない。したがって、各無線タグリーダＥＮＴ，１ｆ〜４ｆ，１ａ〜４ｃのＲＡＭ１３に記憶される照合に必要なデータの偽造が困難となるで、カード５ａの偽造を防止し、セキュリティの向上を図ることができる。
【００３９】
また、無線タグリーダＥＮＴに記憶される一定値は、ビル内の入室のセキュリティを行う必要がある全ての開発室に割当てられたそれぞれ異なる一定値、無線タグリーダ１ｆ〜４ｆに記憶される一定値はそのフロアの入室のセキュリティを行う必要がある全ての開発室に割当てられた一定値、無線タグリーダ１ａ〜４ｃに記憶される一定値は、その設置された開発室に割当てられた一定値を記憶することにより、ビルへの入室、フロアへの入室も制限することができ、さらにセキュリティの向上を図ることができる。
【図面の簡単な説明】
【００４０】
【図１】本発明の実施の形態におけるビルの断面を概略的に示す図。
【図２】同実施の形態における無線タグリーダの外観を示す図。
【図３】同実施の形態における無線タグリーダの要部構成を示すブロック図
【図４】同実施の形態における全ての部屋に割当てられた一定値を示す図。
【図５】同実施の形態におけるビルの入口の無線タグリーダに記憶される一定値を示す図。
【図６】同実施の形態における各フロアの無線タグリーダに記憶される一定値を示す図。
【図７】同実施の形態における各部屋の無線タグリーダに記憶される一定値を示す図。
【図８】同実施の形態における無線タグが埋設されたカードの表面を示す図。
【図９】同実施の形態における無線タグの要部構成を示すブロック図。
【図１０】同実施の形態における無線タグリーダの実行する処理を示す流れ図。
【符号の説明】
【００４１】
ＥＮＴ，１ｆ〜４ｆ，１ａ〜４ａ…無線タグリーダ、５…無線タグ、５ａ…カード、１１…ＣＰＵ、１２…ＲＯＭ、１３…ＲＡＭ、１９…アンテナ、２４…電子ロック部、５１…タグアンテナ、５６…制御部、５７…メモリ、５７ａ…ＲＦＩＤエリア、５７ｂ…ユーザエリア、５７ｃ…付加データエリア、１００…ビル
【図１】
2005076359.tif 000003
【図２】
2005076359.tif 000004
【図３】
2005076359.tif 000005
【図４】
2005076359.tif 000006
【図５】
2005076359.tif 000007
【図６】
2005076359.tif 000008
【図７】
2005076359.tif 000009
【図８】
2005076359.tif 000010
【図９】
2005076359.tif 000011
【図１０】
2005076359.tif 000012